(57)【特許請求の範囲】
【請求項１】
印刷装置で解釈可能な印刷データを出力する情報処理装置であって、
断裁装置の断裁能力の情報を取得する断裁能力取得手段と、
前記断裁能力取得手段により取得された断裁能力の情報に基づき、断裁可能枚数内の複数枚の用紙からなる束を面付け単位に設定する設定手段と、
前記面付け単位と、用紙の物理面に何ページの論理ページを配置するかの論理ページ配置方法と、に基づき面付けを行うレイアウト手段と、
前記レイアウト手段により面付けされたレイアウト結果に基づいて、断裁すべき束の数および各束の枚数に関する情報を表示部に表示する断裁情報表示処理手段とを有することを特徴とする情報処理装置。
【請求項２】
用紙の物理面に何ページの論理ページを配置するかの前記論理ページ配置方法を取得する面付け方法取得手段を有することを特徴とする請求項１に記載の情報処理装置。
【請求項３】
前記束は第１の束及び第２の束を含み、さらに、前記第１の束への面付けに基づき、前記第２の束における開始論理ページを決定する開始論理ページ決定手段を有し、
前記レイアウト手段は、前記決定された開始論理ページと面付け単位とに基づき、前記第２の束の面付けを行うことを特徴とする請求項１又は２に記載の情報処理装置。
【請求項４】
バリアブル印刷が設定されている場合には、前記論理ページは、バリアブル印刷におけるレコードの配置に基づき決定されることを特徴とする請求項１乃至３の何れかに記載の情報処理装置。
【請求項５】
前記断裁情報表示処理手段は、さらに断裁後の重ね順を示す情報を表示することを特徴とする請求項１乃至４の何れかに記載の情報処理装置。
【請求項６】
前記断裁能力取得手段はネットワークを介して前記断裁能力の情報を取得することを特徴とする請求項１乃至５の何れかに記載の情報処理装置。
【請求項７】
印刷装置で解釈可能な印刷データを出力する情報処理装置であって、
断裁装置の断裁能力の情報を取得する断裁能力取得手段と、
前記断裁能力取得手段により取得された断裁能力の情報に基づき、断裁可能枚数内の複数枚の用紙からなる束を面付け単位に設定する設定手段と、
用紙の物理面に複数ページの論理ページを配置するページ配置方法に従う配置済みの論理ページをオフセットとし、次の束の開始論理ページを決定する決定手段と、
前記面付け単位と、前記ページ配置方法と、前記決定手段により決定された開始論理ページと、に基づき次の束の面付けを行うレイアウト手段と、
前記レイアウト手段により面付けされたレイアウト結果に基づいて断裁すべき束の数および各束の枚数に関する情報を表示部に表示する断裁情報表示処理手段とを有することを特徴とする情報処理装置。
【請求項８】
印刷装置で解釈可能な印刷データを出力する情報処理装置のけるレイアウト処理方法であって、
断裁装置の断裁能力の情報を取得する断裁能力取得工程と、
前記断裁能力取得工程において取得された断裁能力の情報に基づき、断裁可能枚数内の複数枚の用紙からなる束を面付け単位に設定する設定工程と、
前記面付け単位と、用紙の物理面に何ページの論理ページを配置するかの論理ページ配置方法と、に基づき面付けを行うレイアウト工程と、
前記レイアウト工程により面付けされたレイアウト結果に基づいて、断裁すべき束の数および各束の枚数に関する情報を表示部に表示する断裁情報表示処理工程とを有することを特徴とするレイアウト処理方法。
【請求項９】
用紙の物理面に何ページの論理ページを配置するかの前記論理ページ配置方法を取得する面付け方法取得工程を有することを特徴とする請求項８に記載のレイアウト処理方法。
【請求項１０】
前記束は第１の束及び第２の束を含み、さらに、前記第１の束への面付けに基づき、前記第２の束における開始論理ページを決定する開始論理ページ決定工程を有し、
前記レイアウト工程は、前記決定された開始論理ページと面付け単位とに基づき、前記第２の束の面付けを行うことを特徴とする請求項８又は９に記載のレイアウト処理方法。
【請求項１１】
バリアブル印刷が設定されている場合には、前記論理ページは、バリアブル印刷におけるレコードの配置に基づき決定されることを特徴とする請求項８乃至１０の何れかに記載のレイアウト処理方法。
【請求項１２】
前記断裁情報表示処理工程は、さらに断裁後の重ね順を示す情報を表示する請求項８乃至１１の何れかに記載のレイアウト処理方法。
【請求項１３】
前記断裁能力取得工程はネットワークを介して前記断裁能力の情報を取得することを特徴とする請求項８乃至１２の何れかに記載のレイアウト処理方法。
【請求項１４】
印刷装置で解釈可能な印刷データを出力する情報処理装置におけるレイアウト処理方法であって、
断裁装置の断裁能力の情報を取得する断裁能力取得工程と、
前記断裁能力取得工程により取得された断裁能力の情報に基づき、断裁可能枚数内の複数枚の用紙からなる束を面付け単位に設定する設定工程と、
用紙の物理面に複数ページの論理ページを配置するページ配置方法に従う配置済みの論理ページをオフセットとし、次の束の開始論理ページを決定する決定工程と、
前記面付け単位と、前記ページ配置方法と、前記決定工程により決定された開始論理ページと、に基づき次の束の面付けを行うレイアウト工程と、
前記レイアウト工程により面付けされたレイアウト結果に基づいて、断裁すべき束の数および各束の枚数に関する情報を表示部に表示する断裁情報表示処理工程とを有することを特徴とするレイアウト処理方法。
【請求項１５】
コンピュータに、請求項８乃至１４の何れかに記載のレイアウト処理方法を実行させることを特徴とするプログラム。
【請求項１６】
コンピュータに、請求項８乃至１４の何れかに記載のレイアウト処理方法を実行させることをプログラムをコンピュータ可読の形態で記憶したい記憶媒体。
【発明の詳細な説明】
【技術分野】
【０００１】
本発明は、印刷にかかわるレイアウト処理を行う仕組みに関する。
【背景技術】
【０００２】
従来から、印刷コスト低減、及び、生産性の後述を目的に、１枚の用紙に２面取りする技術（以下、多連印刷と呼ぶ）が知られている。
【０００３】
この多連印刷とは、より具体的には、例えば、ある原稿ページを同一用紙の上にＮ枚面付けして印刷を行い、印刷後に断裁機により断裁し、Ｎ回分の印刷で得られる結果を得るというものである。
【０００４】
更に、特許文献２によれば、断裁して重ねた時に順番通りに配列されるよう印刷用紙の一面にページ割付処理を行う技術がしられている。本実施形態では、この技術のことを前半後半印刷と呼ぶ。
【特許文献１】特開２００２−２８１２７８号公報
【特許文献２】特開２００１−２０５８８５号公報
【発明の開示】
【発明が解決しようとする課題】
【０００５】
しかしながら、上に説明した多連印刷、前半後半印刷等の技術では、断裁機の断裁可能枚数が考慮されていなかった。例えば、枚数が多くなった場合に断裁が途中までしか行われず断裁を失敗してしまうということがあった。また、例えば、面付けした印刷物を数束に分けて断裁することも想定されるが束間でページ順を揃える必要があり、オペレータに手間を要していた。
【課題を解決するための手段】
【０００６】
本願発明は上記問題点を鑑みて為されたものであり、印刷装置で解釈可能な印刷データを出力する情報処理装置であって、断裁装置の断裁能力の情報を取得する断裁能力取得手段と、前記断裁能力取得手段により取得された断裁能力の情報に基づき、断裁可能枚数内の複数枚の用紙からなる束を面付け単位に設定する設定手段と、前記面付け単位と、用紙の物理面に何ページの論理ページを配置するかの論理ページ配置方法と、に基づき面付けを行うレイアウト手段と、前記レイアウト手段により面付けされたレイアウト結果に基づいて、断裁すべき束の数および各束の枚数に関する情報を表示部に表示する断裁情報表示処理手段とを有することを特徴とする。
【発明の効果】
【０００７】
本願発明によれば、断裁の失敗をより確実に防止でき、且つ、オペレータの手間を軽減できる。
【発明を実施するための最良の形態】
【０００８】
以下、図面を参照しながら本発明に係る実施の形態を詳細に説明する。
【０００９】
＜システム全体概要＞
図１は、本実施形態における文書処理システムの全体概略の一例を示す図である。イーサネット（登録商標）によるネットワークを介して各機器が通信可能に接続されている。
【００１０】
１０１は印刷装置１０１である。１０２、１０３はクライアントコンピュータとしてのクライアントＰＣである。１０４乃至１０７は後処理機器を示す。１０４は紙折り機である。１０５は断裁機である。１０６は中綴じ製本機である。１０７は製本機である。
【００１１】
なお、図１中では印刷装置１０１が一台しか示されていないが複数台接続しても良い。また、各機器を接続する通信媒体としてはイーサーネット（登録商標）によるネットワークには限定されない。例えば、他のプロトコルに従うネットワークを適用することもできる。また無線通信網も適用することができる。
【００１２】
＜ホストコンピュータのハードウェアブロック図＞
＜ハードウェアブロック図＞
図２は、ホストコンピュータ１００とプリンタ１０７とが通信可能に接続されている様子を示す。ここでホストコンピュータ１００は図１における何れかのクライアントＣに、また、プリンタ１０７は図１における印刷装置１０１に相当する。
【００１３】
まず、コンピュータ１００の構成について説明する。尚、図２に示されるハードウェアブロック図は一般的な情報処理装置のハードウェアブロック図に相当するものとし、本実施形態のコンピュータ１００には一般的な情報処理装置の構成をハードウェア構成を適用できる。
【００１４】
図２において、ＣＰＵ２０１は、ＲＯＭ２０３のプログラム用ＲＯＭに記憶された、或いはハードディスク２１１からＲＡＭ２０２にロードされたＯＳやアプリケーション等のプログラムを実行する。ここでＯＳとはコンピュータ上で稼動するオペレーティングシステムの略語であり、以下オペレーティングシステムのことをＯＳと呼ぶ。後述する各フローチャートの処理はこのプログラムの実行により実現できる。ＲＡＭ２０２は、ＣＰＵ２０１の主メモリ、ワークエリア等として機能する。キーボードコントローラ（ＫＢＣ）２０５は、キーボード２０９や不図示のポインティングデバイスからのキー入力を制御する。ＣＲＴコントローラ（ＣＲＴＣ）２０６は、ＣＲＴディスプレイ２１０の表示を制御する。ディスクコントローラ（ＤＫＣ）２０７は各種データを記憶するハードディスク（ＨＤ）２１１やフロッピー（登録商標）ディスク（ＦＤ）等におけるデータアクセスを制御する。ＰＲＴＣ２０８は、接続されたプリンタ１０７との間の信号の交換を制御する。ＮＣ２１２はネットワークに接続されて、ネットワークに接続された他の機器との通信制御処理を実行する。
【００１５】
次に、プリンタ１０７の構成について説明する。図示するように、プリンタ１０７において、１３０１はプリンタＣＰＵであり、ＲＯＭ１３０２や、外部メモリ１３０３に記憶された制御プログラムに基づいてシステムバス１３０４に接続される各ブロックを制御する。ＣＰＵ１３０１の処理により生成された画像信号が、印刷部Ｉ／Ｆ１３０５を介して、印刷部（プリンタエンジン）１３０６に出力情報として出力される。また、ＣＰＵ１３０１は、入力部１３０７を介してホストコンピュータ１００との通信処理が可能となっており、プリンタ１０７内の情報等をホストコンピュータ１００に通知できる。
【００１６】
ＲＯＭ１３０２内のプログラムＲＯＭには、ＣＰＵ１３０１の制御プログラム等を記憶している。ＲＯＭ１３０２内のフォント用ＲＯＭには、出力情報を生成する際に使用するフォントデータ等を記憶している。ＲＯＭ１３０２内のデータ用ＲＯＭには、ハードディスク等の外部メモリ１３０３がないプリンタの場合、ホストコンピュータ１００上で利用される情報等を記憶している。
【００１７】
ＲＡＭ１３０８は、ＣＰＵ１３０１の主メモリや、ワークエリア等として機能するＲＡＭであり、図示しない増設ポートに接続されるオプションＲＡＭによりメモリ容量を拡張することができるように構成されている。また、ＲＡＭ１３０８は、出力情報展開領域、環境データ格納領域、ＮＶＲＡＭ等に用いられる。上述したハードディスク（ＨＤ）、ＩＣカード等の外部メモリ１３０３は、メモリコントローラ（ＭＣ）１３０９によりアクセスを制御される。外部メモリ１３０３は、オプションとして接続され、フォントデータ、エミュレーションプログラム、フォームデータ等を記憶する。また、操作パネル１３１１は操作のためのスイッチ及びＬＥＤ表示器等で構成されている。
【００１８】
＜断裁機のハードウェアブロック図＞
図３は、断裁機１０５のハードウェア構成を示すブロック図である。
【００１９】
３０２は断裁部３０６を各ブロックを制御する制御部（ＣＰＵ）である。制御部３０１はバスを介して各ブロックと通信を行う。３０１は記憶部であり、ユーザが操作部３０４を介して入力した情報や、断裁機の性能に係る情報を記憶保持してる。通信部３０３は外部装置との通信を司る部位であり、様々なプロトコルに従う通信機能を適用できる。操作部３０４はユーザが断裁機を動作させたり、断裁機の設定を行うユーザインタフェースとしての機能を持つ。尚、以下ではユーザインタフェースのことをＵＩと呼ぶ。駆動部３０５は断裁部３０６を駆動する動力源であり、例えばモータ、油圧機構から構成される。３０６断裁部であり記録媒体を断裁可能なように鋭利な刃物等から構成されている。
【００２０】
＜文書処理システムの概要＞
次に、本実施形態に係る文書処理システムの概要について、図４乃至図１３を参照して以下に説明する。まず、この文書処理システムは、一般のアプリケーションによって作成されたデータファイルを電子原稿ファイルに変換する電子原稿ライタを備える。また、その電子原稿ファイルを編集する機能を提供する製本アプリケーションを備え、作成されたデータを一まとめにした文書の作成及び編集を可能とする。
【００２１】
＜システム構成及び動作＞
図４は、本実施形態の文書処理システムのソフトウェア構成を示す図である。文書処理システムは、本発明の情報処理装置に好適な実施形態であるホストコンピュータ１００によって実現されている。図４に示す一般アプリケーション１０１は、ワードプロセシングやスプレッドシート、フォトレタッチ、ドロー、あるいはペイント、プレゼンテーション、テキスト編集などの機能を提供するアプリケーションプログラムである。このアプリケーションプログラムはＯＳに対する印刷機能を有している。また、作成された文書データや画像データなどのアプリケーションデータを印刷する際に、オペレーティングシステム（ＯＳ）によって提供される所定のインタフェース（一般に、ＧＤＩと呼ばれる）を利用する。即ち、アプリケーション１０１は、作成したデータを印刷するために、上述のインタフェースを提供するＯＳの出力モジュールに対して、あらかじめ定められる、ＯＳに依存する形式の出力コマンド（ＧＤＩ関数と呼ばれる）を送信する。一方、出力コマンドを受けた出力モジュールは、その出力コマンドをプリンタ等の出力デバイスが処理可能な形式に変換して、変換されたコマンド（ＤＤＩ関数と呼ばれる）を出力する。出力デバイスが処理可能な形式はデバイスの種類やメーカ、機種などによって異なるため、デバイスごとにデバイスドライバが提供されている。ＯＳではそのデバイスドライバを利用してコマンド変換を行ない印刷データを生成し、ＪＬ（Ｊｏｂ  Ｌａｎｇｕａｇｅ）でくくることにより印刷ジョブが生成される。ＯＳとしてマイクロソフト社のウインドウズを利用する場合には、前述した出力モジュールとしてはＧＤＩ（Ｇｒａｐｈｉｃ  Ｄｅｖｉｃｅ  Ｉｎｔｅｒｆａｃｅ）と呼ばれるモジュールが相当する。
【００２２】
電子原稿ライタ１０２は、上述のデバイスドライバを改良したものであり、本文書処理システム実現のために提供されるソフトウェアモジュールである。但し、電子原稿ライタ１０２は特定の出力デバイスを目的としておらず、詳細は後述する製本アプリケーション１０４やプリンタドライバ１０６により処理可能な形式に出力コマンドを変換する。この電子原稿ライタ１０２による変換後の形式（以後電子原稿形式と呼ぶ）は、ページ単位の原稿を詳細な書式をもって表現可能であれば特に問わない。実質的な標準形式のうち、例えばアドビシステムズによるＰＤＦ形式やＳＶＧ形式などが電子原稿形式として採用できる。
【００２３】
一般アプリケーション１０１から電子原稿ライタ１０２を利用させる場合には、出力に使用するデバイスドライバとして電子原稿ライタ１０２を指定してから印刷を実行する。但し、電子原稿ライタ１０２によって作成されたままの電子原稿ファイルは、電子原稿ファイルとして完全な形式を備えていない。そのため、デバイスドライバとして電子原稿ライタ１０２を指定するのは製本アプリケーション１０４であり、その管理下でアプリケーションデータの電子原稿ファイルへの変換が実行される。そして、製本アプリケーション１０４は電子原稿ライタ１０２が生成した新規の不完全な電子原稿ファイルを後述する形式を備えた電子原稿ファイルとして完成させる。以下、この点を明瞭に識別する必要がある場合、電子原稿ライタ１０２によって作成されたファイルを「電子原稿ファイル」と呼び、製本アプリケーション１０４によって構造を与えられた電子原稿ファイルを「ブックファイル」と呼ぶ。また、特に区別する必要がない場合は、アプリケーションにより生成されるドキュメントファイル、電子原稿ファイル、及びブックファイルをいずれも文書ファイル（または文書データ）と呼ぶ。
【００２４】
このようにデバイスドライバとして電子原稿ライタ１０２を指定し、一般アプリケーション１０１によりデータを印刷させることで、アプリケーションデータは電子原稿形式に変換される。この変換では、アプリケーション１０１によって定義されたページ（以後論理ページあるいは原稿ページと呼ぶ）を単位とするデータが変換される。そして電子原稿形式に変換されたデータは電子原稿ファイル１０３としてハードディスクなどの記憶媒体に格納される。尚、ハードディスクは、本実施形態の文書処理システムを実現するコンピュータが備えているローカルドライブであっても良く、ネットワークに接続されている場合にはネットワーク上に提供されるドライブであっても良い。
【００２５】
製本アプリケーション１０４は電子原稿ファイル（あるいはブックファイル）１０３を読み込み、それを編集するための機能を利用者に提供する。但し、製本アプリケーション１０４は、各ページの内容を編集する機能は提供しておらず、ページを最小単位として構成される、後述する章やブックの構造を編集するための機能を提供している。
【００２６】
製本アプリケーション１０４によって編集されたブックファイル１０３を印刷する際には、製本アプリケーション１０４によって電子原稿デスプーラ１０５が起動される。電子原稿デスプーラ１０５は、製本アプリケーションと共にコンピュータ内にインストールされるプログラムモジュールである。この原稿デスプーラ１０５は、製本アプリケーションで利用するドキュメント（ブックファイル）を印刷する際に、プリンタドライバへ描画データを出力するために使用されるモジュールである。電子原稿デスプーラ１０５は、指定されたブックファイルをハードディスクから読み出し、ブックファイルに記述された形式で各ページを印刷するために、前述したＯＳの出力モジュールに適合する出力コマンドを生成し、不図示の出力モジュールに出力する。その際に、出力デバイスとして使用されるプリンタ１０７用のプリンタドライバ１０６がデバイスドライバとして指定される。上述の出力モジュールは、受信した出力コマンドをデバイスコマンドに変換して指定されたプリンタ１０７用のプリンタドライバ１０６に出力し、そのプリンタドライバ１０６がプリンタ１０７で解釈実行可能なページ記述言語等のコマンドに変換する。そして、変換されたコマンドはプリンタドライバ１０６から不図示のシステムスプーラを介してプリンタ１０７に送信され、プリンタ１０７によってコマンドに応じた画像が印刷される。
【００２７】
＜電子原稿データの形式＞
編集アプリケーション１０４の詳細を言及する前に、ブックファイルのデータ形式について説明する。ブックファイルは紙媒体の書物を模倣した３層の層構造を有する。まず、上位層は「ブック」と呼ばれ、１冊の本を模倣しており、その本全般に係る属性が定義されている。その下の中間層は、本でいう章に相当し、やはり「章」と呼ばれる。各章についても、章毎の属性が定義できる。そして、下位層は「ページ」であり、アプリケーションプログラムで定義された各ページに相当する。尚、各ページについてもページ毎の属性が定義できる。更に、一つのブックは複数の章を含んでいてよく、また一つの章は複数のページを含むこともできる。
【００２８】
図５に示す（Ａ）は、ブックファイルの形式の一例を模式的に示す図である。図示するように、この例では、ブックファイルにおけるブック，章，ページは、それぞれに相当するノードにより示されている。一つのブックファイルは一つのブックを含む。ブック，章は、ブックとしての構造を定義するための概念であるから、定義された属性値と下位層へのリンクとをその実体として含む。ページは、アプリケーションプログラムによって出力されたページ毎のデータを実体として有する。そのため、ページは、その属性値のほかに、原稿ページの実体（原稿ページデータ）と各原稿ページデータへのリンクを含む。
【００２９】
尚、紙媒体等に出力する際の印刷ページは複数の原稿ページを含む場合がある。この構造に関してはリンクによって表示されず、ブック、章、ページ各階層における属性として表示される。
【００３０】
図５において、ブック３０１には、ブック属性が定義されていると共に、２つの章３０２Ａ，３０２Ｂがリンクされている。このリンクにより、章３０２Ａ，３０２Ｂがブック３０１に包含されていることが表示される。章３０２Ａには、ページ３０３Ａ，３０３Ｂがリンクされ、これらページが含まれることが示されている。各ページ３０３Ａ，３０３Ｂにはそれぞれ属性値が定義され、その実体である原稿ページデータ（１）、（２）へのリンクが含まれる。これらリンクは、図５に示す（Ｂ）のように原稿ページデータ３０４のデータ（１）、（２）を指し示し、ページ３０３Ａ、３０３Ｂの実体が原稿ページデータ（１）、（２）であることを表示している。
【００３１】
図６は、ブック属性のリストである。下位層と重複して定義可能な項目に関しては、下位層の属性値が優先採用される。そのため、ブック属性にのみ含まれる項目に関しては、ブック属性に定義された値はブック全体を通して有効な値となる。しかし、下位層と重複する項目については、下位層において定義されていない場合における既定値としての意味を有する。尚、図示された各項目は具体的に１項目に対応するのではなく、関連する複数の項目を含むものもある。
【００３２】
図７は章属性の、図８はページ属性のリストである。章属性とページ属性との関係もブック属性と下位層の属性との関係と同様である。
【００３３】
図６〜図８の中で、ブック属性に固有の項目は、印刷方法、製本詳細、表紙／裏表紙、インデックス紙、合紙、章区切りの６項目である。これらはブックを通して定義される項目である。印刷方法の属性としては、片面印刷、両面印刷、製本印刷の３つの値を指定できる。ここで、製本印刷とは、別途指定する枚数の用紙を束にして２つ折りにし、その束をつづり合わせることで製本が可能となる形式で印刷する方法である。製本詳細属性としては、製本印刷が指定されている場合に、見開き方向や、束になる枚数等が指定できる。
【００３４】
表紙／裏表紙属性は、ブックとしてまとめられる電子原稿ファイルを印刷する際に、表紙及び裏表紙となる用紙を付加することの指定、及び付加した用紙への印刷内容の指定を含む。インデックス紙属性は、章の区切りとして、印刷装置に別途用意される耳付きのインデックス紙の挿入の指定及びインデックス（耳）部分への印刷内容の指定を含む。この属性は、印刷用紙とは別に用意された用紙を所望の位置に挿入するインサート機能を持ったインサータが使用する印刷装置に備えられている場合か、あるいは、複数の給紙カセットを使用可能である場合に有効となる。これは合紙属性についても同様である。
【００３５】
合紙属性は、章の区切りとして、インサータから、あるいは給紙カセットから供給される用紙の挿入の指定、及び合紙を挿入する場合には、給紙元の指定などを含む。
【００３６】
章区切り属性は、章の区切り目において、新たな用紙を使用するか、新たな印刷ページを使用するか、特に何もしないか等の指定を含む。片面印刷時には、新たな用紙の使用と新たな印刷ページの使用とは同じ意味を持つ。両面印刷時には、「新たな用紙の使用」を指定すれば連続する章が１枚の用紙に印刷されることは無いが、「新たな印刷ページの使用」を指定すれば、連続する章が１枚の用紙の表裏に印刷されることがあり得る。
【００３７】
章属性に関しては、章に固有の項目はなく、全てブック属性と重複する。従って、章属性における定義とブック属性における定義とが異なれば、章属性で定義された値が優先する。ブック属性と章属性とにのみ共通する項目は、用紙サイズ、用紙方向、Ｎ−ｕｐ印刷指定、拡大縮小、排紙方法の５項目である。これらのうち、Ｎ−ｕｐ印刷指定属性は１印刷ページに含まれる原稿ページ数を指定するための項目である。指定可能な配置としては、１×１、１×２、２×２、３×３、４×４などがある。排紙方法属性は、排出した用紙にステイプル処理を施すか否かを指定するための項目であり、この属性の有効性は使用する印刷装置がステイプル機能を有するか否かに依存する。
【００３８】
ページ属性に固有の項目には、ページ回転属性、ズーム、配置指定、アノテーション、ページ分割などがある。ページ回転属性は、原稿ページを印刷ページに配置する際の回転角度を指定するための項目である。ズーム属性は、原稿ページの変倍率を指定するための項目である。変倍率は、仮想論理ページ領域のサイズを１００％として指定される。仮想論理ページ領域とは、原稿ページを、Ｎｕｐ等の指定に応じて配置した場合に、１原稿ページが占める領域である。例えば、１×１であれば、仮想論理ページ領域は１印刷ページに相当する領域となり、１×２であれば、１印刷ページの各辺を約７０パーセントに縮小した領域となる。
【００３９】
ブック、章、ページについて共通な属性としては、ウォーターマーク属性及びヘッダ・フッタ属性がある。ここで、ウォーターマークとは、アプリケーションで作成されたデータに重ねて印刷される、別途指定される画像や文字列などである。ヘッダ・フッタは、それぞれ各ページの上余白及び下余白に印刷されるウォーターマークである。但し、ヘッダ・フッタには、ページ番号や日時など変数により指定可能な項目が用意されている。尚、ウォーターマーク属性およびヘッダ・フッタ属性において指定可能な内容は、章とページとは共通であるが、ブックはそれらと異なっている。ブックにおいてはウォーターマークやヘッダ・フッタの内容を設定できるし、また、ブック全体を通してどのようにウォーターマークやヘッダ・フッタを印刷するかを指定することができる。一方、章やページでは、その章やページにおいて、ブックで設定されたウォーターマークやヘッダ・フッタを印刷するか否かを指定できる。
【００４０】
＜ブックファイルの生成手順＞
ブックファイルは上述したような構造及び内容を有している。次に、製本アプリケーション１０４及び電子原稿ライタ１０２によるブックファイルの作成手順について説明する。ブックファイルの作成手順は、製本アプリケーション１０４によるブックファイルの編集操作の一環として実現される。
【００４１】
図９は、製本アプリケーション１０４によりブックファイルを開く際の手順である。まず、開こうとするブックファイルが、新規作成すべきものであるか、それとも既存のものであるか判定する（Ｓ７０１）。新規作成の場合には、章を含まないブックファイルを新規に作成する（Ｓ７０２）。新規に作成されるブックファイルは、図４の例で示せば、ブックノード３０１のみ有し、章のノードに対するリンクが存在しないブックのノードとなる。ブック属性は、新規作成用としてあらかじめ用意された属性のセットが適用される。そして、新規ブックファイルを編集するためのＵＩ画面を表示する（Ｓ７０３）。図１３は、新規にブックファイルが作成された際のＵＩ画面の一例である。この場合は、ブックファイルは実質的な内容を持たないため、ＵＩ画面１１００には何も表示されない。
【００４２】
一方、既存のブックファイルがあれば、指定されたブックファイルを開き（Ｓ７０３）、そのブックファイルの構造、属性、内容に従ってＵＩ画面を表示する。図１２は、既存のブックファイルから指定されたブックファイルを表示するＵＩ画面の一例である。ＵＩ画面１１００は、ブックの構造を示すツリー部１１０１と、印刷された状態を表示するプレビュー部１１０２とを含む。ツリー部１１０１には、ブックに含まれる章、各章に含まれるページが図５に示す（Ａ）のような木構造で表示される。ツリー部１１０１に表示されるページは原稿ページである。またプレビュー部１１０２には、印刷ページの内容が縮小されて表示される。その表示順序はブックの構造を反映したものとなっている。
【００４３】
さて、開かれたブックファイルには、電子原稿ライタ１０２によって電子原稿ファイルに変換されたアプリケーションデータを、新たな章として追加することができる。この機能を電子原稿インポート機能と呼ぶ。図９に示す手順によって新規に作成されたブックファイルに電子原稿インポートすることで、そのブックファイルには実体が与えられる。この機能は、図１２の画面にアプリケーションデータをドラッグアンドドロップ操作することで起動される。
【００４４】
図１０に電子原稿インポートの手順を示す。まず、指定されたアプリケーションデータを生成したアプリケーションプログラムを起動する。そして、デバイスドライバとして電子原稿ライタ１０２を指定してアプリケーションデータを印刷出力させることで、電子原稿データに変換する（Ｓ８０１）。変換を終えたなら、変換されたデータが画像データであるか否かを判定する（Ｓ８０２）。この判定は、ウインドウズＯＳの下であれば、アプリケーションデータのファイル拡張子に基づいて行われる。例えば、拡張子が「ｂｍｐ」であればウインドウズビットマップデータであり、「ｊｐｇ」であればｊｐｅｇ圧縮された画像データ、「ｔｉｆｆ」であればｔｉｆｆ形式の画像データであると判定できる。このような画像データの場合はＳ８０１０のようにアプリケーションを起動せずに、画像データから直接電子原稿ファイルを生成することが可能であるため、Ｓ８０１０の処理を省略することも可能である。
【００４５】
ここで、画像データでなかった場合には、Ｓ８０１で生成された電子原稿ファイルを、現在開かれているブックファイルのブックに、新たな章として追加する（Ｓ８０３）。章属性としては、ブック属性と共通するものについてはブック属性の値がコピーされ、そうでないものについては、予め用意された規定値に設定される。
【００４６】
また、Ｓ８０２で画像データである場合には、原則として新たな章は追加されず、指定されている章にＳ８０１で生成された電子原稿ファイルに含まれる各原稿ページが追加される（Ｓ８０４）。但し、ブックファイルが新規作成されたファイルであれば、新たな章が作成されて、その章に属するページとして電子原稿ファイルの各ページが追加される。ページ属性は、上位層の属性と共通のものについてはその属性値が与えられ、アプリケーションデータにおいて定義された属性を電子原稿ファイルに引き継いでいるものについてはその値が与えられる。例えば、Ｎｕｐ指定などがアプリケーションデータにおいて指定されていた場合には、その属性値が引き継がれる。このようにして、新規なブックファイルが作成され、あるいは、新規な章が追加される。
【００４７】
図１１は、図１０に示すＳ８０１において、電子原稿ライタ１０２により電子原稿ファイルを生成させる手順のフローチャートである。まず、新たな電子原稿ファイルを作成してそれを開く（Ｓ９０１）。指定したアプリケーションデータに対応するアプリケーションを起動し、電子原稿ライタをデバイスドライバとしてＯＳの出力モジュールに対して出力コマンドを送信させる。出力モジュールは、受信した出力コマンドを電子原稿ライタ１０２によって電子原稿形式のデータに変換し、出力する（Ｓ９０２）。その出力先はＳ９０１で開いた電子原稿ファイルである。指定されたデータ全てについて変換が終了したか判定し（Ｓ９０３）、終了していれば電子原稿ファイルを閉じる（Ｓ９０４）。電子原稿ライタ１０２によって生成される電子原稿ファイルは、図５の（Ｂ）に示される原稿ページデータの実体を含むファイルである。
【００４８】
＜ブックファイルの編集＞
以上のようにして、アプリケーションデータからブックファイルを作成することができる。生成されたブックファイルについては、章及びページに対して次のような編集操作が可能である。
（１）新規追加
（２）削除
（３）コピー
（４）切り取り
（５）貼り付け
（６）移動
（７）章名称変更
（８）ページ番号名称振り直し
（９）表紙挿入
（１０）合紙挿入
（１１）インデックス紙挿入
（１２）各原稿ページに対するページレイアウト。
【００４９】
このほか、一旦行った編集操作を取り消す操作や、更に取り消した操作をやり直す操作が可能である。これら編集機能により、例えば複数のブックファイルの統合、ブックファイル内で章やページの再配置などの編集操作が可能となる。また、ブックファイル内で章やページの削除、原稿ページのレイアウト変更、合紙やインデックス紙の挿入などの編集操作も可能となる。これらの操作を行うと、図６、図７に示す属性に操作結果が反映されたり、あるいはブックファイルの構造に反映される。例えば、ブランクページの新規追加操作を行えば、指定された箇所にブランクページが挿入される。このブランクページは原稿ページとして扱われる。また、原稿ページに対するレイアウトを変更すれば、その変更内容は、印刷方法やＮ−ｕｐ印刷、表紙／裏表紙、インデックス紙、合紙、章区切りといった属性に反映される。
【００５０】
＜ブックファイルの出力＞
以上のように作成・編集されるブックファイルは、印刷出力を最終目的とするものである。ここで、利用者が図１２に示した製本アプリケーションのＵＩ画面１１００からファイルメニューを選択し、そこから印刷を選択すると、指定した出力デバイスにより印刷出力される。この際、まず製本アプリケーション１０４は、現在開かれているブックファイルからジョブチケットを作成し、そのジョブチケットを電子原稿デスプーラ１０５に渡す。一方、電子原稿デスプーラ１０５は、ジョブチケットをＯＳの出力コマンド、例えばウインドウズのＧＤＩ関数に変換し、それを出力モジュール、例えばＧＤＩに送信する。出力モジュールは、指定されたプリンタドライバ１０６によってデバイスに適したコマンドを生成し、そのデバイスに送信する。
【００５１】
ここで、ジョブチケットは原稿ページを最小単位とする構造を有するデータである。ジョブチケットにおける構造は、用紙上における原稿ページのレイアウトを定義している。ジョブチケットは１ジョブにつき１つ発行される。そのため、まず最上位にドキュメントというノードがあり、文書全体の属性、例えば両面印刷／片面印刷などが定義されている。その下には、用紙ノードが属し、用いるべき用紙の識別子やプリンタにおける給紙口の指定などの属性が含まれる。各用紙ノードには、その用紙で印刷されるシートのノードが属する。１シートは１枚の用紙に相当する。各シートには、印刷ページ（物理ページ）が属する。片面印刷ならば１シートには１物理ページが属し、両面印刷ならば１シートに２物理ページが属する。各物理ページには、その上に配置される原稿ページが属する。また物理ページの属性として、原稿ページのレイアウトが含まれる。
【００５２】
電子原稿デスプーラ１０５は、上述のジョブチケットを、出力モジュールへの出力コマンドに変換する。
【００５３】
＜プレビュー表示の内容＞
既に説明した通り、ブックファイルが製本アプリケーションによって開かれると、図１２に示したＵＩ画面１１００が表示される。ツリー部１１０１には、開いているブック（以下、「注目ブック」と呼ぶ）の構造を示すツリーが表示される。プレビュー部には、利用者の指定に応じて、３通りの表示方法が用意されている。まず、第１は原稿ページをそのまま表示する原稿ビューと呼ばれるモードである。この原稿ビューモードでは、注目ブックに属する原稿ページの内容が縮小されて表示される。尚、プレビュー部１１０２の表示にレイアウトは反映されない。次に、第２は印刷ビューモードである。この印刷ビューモードでは、プレビュー部１１０２には原稿ページのレイアウトが反映された形で原稿ページが表示される。そして、第３は簡易印刷ビューモードである。この簡易印刷ビューモードでは、各原稿ページの内容はプレビュー部の表示には反映されず、レイアウトのみが反映される。
【００５４】
＜レイアウト処理に係る説明＞
図１４乃至２４は本実施形態における処理を説明する為の各種図面である。以下、これら各種図面を用いてレイアウト処理に係る説明を行う。
【００５５】
＜レイアウト処理に係る設定画面＞
図１４は製本アプリケーション１０４のＵＩ画面の一例を示す。図１４中の「面付け」及び「面付け方法」は各種面付けの詳細設定を入力する入力欄である。
【００５６】
「面付け」の設定では、面付けの属性として、多面付け、多連付け、多面の前後半印刷、簡易２連、簡易４連、簡易前後半印刷を指定することができる。特に多面の前後半印刷、簡易前後半印刷の設定を中心に本実施形態の説明を行う。多面付けとは、１枚の紙に複数ページを割り付け、断裁して所望のサイズのドキュメントを得る面付け方法である。多連付けとは、１枚の紙に同一ページを割り付け、断裁して所望のサイズのドキュメントを得る面付け方法である。多面の前後半印刷は、印刷された複数用紙を積層して裁断し各部分を積み重ねた場合に、積層方向に連続的にページ順が配列されるよう、物理用紙の一面に異なる複数の論理ページを割り付ける面付け方法である。多面の前後半印刷が設定された場合にどのような印刷結果が得られるかを図１７に示す。図１７に示される印刷結果の場合、断裁機の断裁能力が５０枚以上であれば問題がない。しかし、実際には断裁能力が５０枚未満である場合も想定され、以下の説明では、そのような場合にも対応することができる。
【００５７】
また、簡易前後半印刷とは、前後半印刷の簡易面付け設定で、「ドブ」や「トンボ」の設定ができないものである。ここでは前後半印刷が選択されているものとする。尚、「ドブ」や「トンボ」が夫々どのようなものであり、お互いにどのような関係なのかを図２０に示す。「ドブ」とは立ち落ちされる部分である。「トンボ」とは断裁をするための目印である。図２０中ではコーナートンボとセンタートンボが示されている。
【００５８】
「面付け方法」の設定には２、４、８、ｍ×ｎ等があり、図１７の例では４面、総論理ページ数２００ページのドキュメントを５０枚の物理用紙に割り付ける例である。ここでの「面付け方法」とは面付け属性の１つであり、物理媒体（物理用紙）の一面に何ページ分の論理ページを配置するかの論理ページ配置方法である。尚、「面付け方法」については、例えば１×２（縦×横）の固定であっても良い。また、総論理ページ数はドキュメントのページ数が論理的に何ページ分に相当するかを示し、物理用紙に対して片面及び１ＵＰで論理ページを配置すると物理用紙の枚数と論理ページ数とは等しくなる。
【００５９】
＜レイアウト処理に係る動作説明＞
図１９に面付けに係る動作説明を行う為のフローチャートを示す。
【００６０】
Ｓ２１０１で面付け設定取得処理が行われる。製本アプリケーション１０４の面付け設定を取得する処理である。これは上述で詳しく説明した図１４で示されるＵＩ画面の「面付け」の設定内容を取得する処理である。
【００６１】
次に、Ｓ２１０２で多面の前後半印刷又は簡易前後半印刷が設定されているかを判定する。ここでは、Ｓ２１０１で取得された面付け設定が前後半印刷、簡易前後半印刷かを判定する。
【００６２】
次に、Ｓ２１０３で面付け方法設定取得処理が行われる。これは製本アプリケーション１０４の面付け方法設定を取得する処理である。これは図１４で示されるＵＩ画面中の「面付け方法」の設定内容を取得する処理である。ここでは前記したように２、４、８、ｍ×ｎ（ユーザ定義）を選択可能である。ここでは図１４のＵＩ画面を介して４（横２×縦２）が設定されているとする。また「面付け方法」が例えば１×２（縦×横）の固定である場合にはこの固定の面付け方法の設定を取得する。
【００６３】
そして、Ｓ２１０４で断裁能力（物理用紙枚数）取得処理が行われる。これは図１４で示されるＵＩ画面例の断裁枚数の設定内容を取得する処理である。ユーザは断裁機の能力を考慮し、何枚ごとに束ねるかを設定する。ここで、設定される枚数は、断裁能力内であれば良く、ここで設定された枚数が、面付け単位に設定される。例えば断裁可能枚数がＡ３普通用紙で２５枚であった場合に、面付け単位は２５枚の束となる。また、断裁可能枚数がＡ３普通用紙で２５枚であった場合に、面付け単位を２０枚の束としても良い。また、面付け単位となる複数の束が設定されることにより、最後の束の用紙枚数が他の面付け単位よりも少ない枚数になることがある。この場合には、最後の派生用紙枚数が面付け単位として設定される。そして面付け単位により複数の束に分割が行われ、そしてこの面付け単位毎（束毎）のレイアウト処理により、後述する前後半印刷のページ面付けが変わることになる。ここでは断裁能力枚数として２０が設定されているとする。ここで図１４中の「断裁枚数」の設定は、ユーザがキーボー等を用いて入力しても良いし、ネットワーク上の断裁機からネットワークを介して取得した断裁能力の情報に基づき設定するようにしても良い。
【００６４】
次にＳ２１０５で総論理ページ数取得処理が行われる。これは上に説明した電子原稿インポート手段により取り込まれた、又は、その後の編集作業により製本アプリケーション１０４に論理ページが何ページ存在するかを取得する処理である。より具体的には、現状の論理ページ数を製本アプリケーション１０４内部に保持しており、それを取得する処理である。ここでは総論理ページ数として２００ページの情報が取得される。
【００６５】
次にＳ２１０７で断裁能力（枚数）を考慮した面付け処理が行われる。
【００６６】
より具体的には、先に取得した面付け方法（Ｎ）、断裁能力（枚数）設定（Ｍ）、総論理ページ数（Ｌ）より各ページに割り付けるページを算出し、面付けを行う処理である。まず、ここでは何枚の用紙（片面を想定）が必要かが、Ｐ＝Ｌ／Ｎ（小数点以下繰り上げ）で算出される。また、何束できるかはＯ＝Ｐ／Ｍ（小数点以下繰り上げ）で算出される。このＯ＝Ｐ／Ｍの処理により、取得された断裁能力に基づき、断裁可能枚数内の用紙からなる束（面付け単位）の数を演算できる。  すると、ｎ束目にあるＸ枚目のｑ番目の配置には、下記の論理式で表される論理ページが割り当てられることになる。
（ｑ−１）＊Ｔ＋Ｘ−（ｎ−１）＊Ｔ＋Ｎ＊Ｍ＊（ｎ−１）
Ｔ＝Ｍ            （１＜＝ｎ＜Ｏ−１の時）
Ｔ＝Ｐ−Ｍ＊（ｎ−１）      （ｎ＝Ｏの時）
なお、Ｘ枚目とは、図１８の例をもって説明すると、２束目の１枚目が２１枚目となる。また、上記論理式で、Ｎ＊Ｍ＊（ｎ−１）は開始論理ページのオフセット値と解釈できる。また、Ｘ−（ｎ−１）＊Ｔは、トータルでＸ枚目の媒体がｎ束目における何枚目かを示すものと解釈できる。また、（ｑ−１）＊は、同一媒体上における各論理ページの関係を規定するものと解釈できる。
【００６７】
図１８では具体的な例として、Ｎ＝４、Ｍ＝２０、Ｌ＝２００を想定しているため、Ｐ＝５０、Ｏ＝３となり、図示されるような面付け結果となる。
【００６８】
そしてＳ２１０８で面付けレイアウト表示処理が行われる。例えば図１２で示される製本アプリケーション１０４のプレビュー部１１０２にＳ２１０８で行った面付け処理の表示を行う。これにより、ユーザは面付け状態を認識することが可能となる。
【００６９】
そして、Ｓ２１０８処理の後に、印刷開始指示がなされると、図４におけるプリンタドライバ１０６は、Ｓ２１０７での面付け処理が施された電子原稿形式のデータを印刷装置が解釈できる形式に変換する。該変換されたプリンタが解釈可能なデータ（例えばページ記述言語）は通信媒体を介してプリンタ１０７に出力され、プリンタ１０７において媒体（用紙）に記録される。
【００７０】
＜断裁情報表示に係る動作説明＞
次に、製本アプリケーション１０４から印刷をしようとした時、断裁情報を表示する処理を図１５、図１６の図、及び、図２１のフローチャートを併用して説明する。
【００７１】
まず、ユーザがドキュメントを印刷しようとした時、製本アプリケーション１０４のファイルメニューから「印刷」を選択する。すると、図１５で例示するような印刷設定ダイアログが表示される。ユーザはプリンタの選択、部数、バリアブル印刷、断裁情報の表示等、所望する印刷属性を設定する。そして、図１５のＵＩ画面の表示を経由して、印刷開始指示がなされると、図２１のフローチャートが実行される。
【００７２】
まず、Ｓ２３０１で印刷開始ボタンが押された時、断裁情報表示を行うかの判定処理が行われる。より具体的には、図１５のＵＩ画面における印刷属性設定で、「断裁情報の表示を行う」の設定がされているか否かを判定する。ユーザが印刷時にその情報を表示することを所望すれば、図１５の「断裁情報の表示を行う」の設定をチェックすることになる。ここでは、ユーザは表示することを所望し、チェック入力を設定してある。
【００７３】
次に、Ｓ２３０２で断裁情報取得処理が行われる。これは先に図１４で示される設定属性及び先の断裁能力（枚数）を考慮した面付け処理（Ｓ２１０７）で算出された内容を取得する処理である。
【００７４】
すると、次に、Ｓ２３０３で断裁情報表示処理が行われる。これは先の断裁情報取得処理（Ｓ２３０２）で取得した内容を表示する処理である。これを例示したものが図１６である。ここでは面付けの種類、断裁後の重ねる順番、何枚何束のものがどれくらいできるかを表示した例である。これにより、ユーザは印刷時に印刷物を何枚の束を何回、どのように重ねるかを容易に把握し断裁することができる。特に、明示的に断裁枚数を入力設定しないで印刷開始指示が行われた場合や、保存済のドキュメントの設定内容を確認せずに印刷を行った場合に特に有効となる。そして、その後にＳ２３０４で印刷処理が行われ、印刷結果が得られることになる。
【００７５】
また、図１６の表示は、印刷開始指示が行われ、且つ、図１５のＵＩ画面において、「断裁情報の表示を行う」のチェックボックスにチェックが設定されていた場合に行われるよう説明したがこれには限定されない。例えば、Ｓ２１０４で取得された断裁能力の情報に基づき、総物理用紙枚数が、断裁可能印刷枚数を超えた場合のみ表示部に表示させ、ユーザに効率よく情報を提示するようにしても良い。
【００７６】
以上、説明してきたように、図１９のフローチャートにより、取得された断裁能力の情報に基づき面付け単位としても用紙枚数を決定できる。そして、この決定された用紙枚数、又は、用紙枚数以内の束単位で面付けを行うことができる。そして、この束単位で面付けを行った場合に、図１８に示され如く、夫々の束において用紙を積み重ねるだけで連続したページ順の印刷物を得ることができる。
【００７７】
［第２の実施形態］
上に説明した第１の実施形態では多面の前後半印刷又は簡易前後半印刷が指示された場合を説明してきた。しかし、本発明は多面の前後半印刷又は簡易前後半印刷が指示された場合に限定されない。他の実施例によると、バリアブル印刷のマルチレコード印刷の面付け順の一つである串刺し印刷時にも断裁能力を想定した面付けを行うことができる。また、第１の実施形態と同様に断裁情報を表示部に表示させることもできる。以下では、串刺し印刷時の面付け処理について説明を行う。
【００７８】
製本アプリケーション１０４の面付け属性の一つに多面の前後半印刷がある。これは実施例で説明したように図１７に示すように複数ページの印刷結果を断裁して重ねることで、想定した印刷結果を得るものであるが、この時にバリアブル設定がされていれば、串刺し印刷となる。この串刺し印刷の場合も、第１の実施形態と同様に印刷出力後、断裁して重ねることで想定した印刷結果を得ることがある。
【００７９】
図１４のＵＩ画面例で示す、面付け及び面付け方法で選択される、面付け方法には２、４、８、ｍ×ｎ等があり、図２３は４面、２ページのドキュメント、２００レコードを１００枚に割り付ける例である。また、この例では前後半印刷を設定することで、串刺し印刷になったが、明示的に、同ＵＩ上のマルチレコードの設定から明示的に串刺し印刷の設定をさせてもよい。
【００８０】
図２４は第２の実施形態の面付け処理の動作を表したフローチャートである。
【００８１】
まず、Ｓ２２０１乃至Ｓ２２０４では、第１の実施形態と同様の処理が行われる。
【００８２】
その後、Ｓ２２０５でバリアブル設定がされているかの判定処理が行われる。製本アプリケーション１０４は差し込み印刷のためのフィールド設定を行い、データベースに接続してレコードを取り込み、印刷することができる。そのフィールド設定、データベース接続がされているかを判定する処理である。このデータベース接続とは外部のデータベースサーバへの接続でも良いし、時装置内部に保持しているファイルでも構わない。
【００８３】
次にＳ２２０６でレコード設定取得処理が行われる。これはフィールドに設定されているレコード及びレコード数等の設定を取得する処理である。ここでは、データベースは内部に保存しているファイルとし、レコード数は２００であるとする。
【００８４】
次に、Ｓ２２０７で第１の実施形態と同様に、総論理ページ数取得処理が行われる。これは前記した電子原稿インポートの手段により、取り込まれた、又はその後の編集作業により製本アプリケーション１０４に論理ページが何ページ存在するかを取得する処理である。これは現状の論理ページ数を製本アプリケーション１０４内部に保持しており、それを取得する処理である。ここでは２ページであったとする。
【００８５】
次にＳ２２０８でレコード及び断裁能力（枚数）を考慮した面付け処理が行われる。これは先に取得した面付け方法（Ｎ）、断裁能力（枚数）設定（Ｍ）、総論理ページ数（Ｌ）、レコード数（Ｒ）より各ページに割り付けるページを算出し、面付けを行う処理である。まず、ここでは何枚の用紙（片面を想定）が必要かが、Ｐ＝Ｌ＊Ｒ／Ｎ（小数点以下繰り上げ）で算出される。また、何束できるかはＯ＝Ｐ／Ｍ（小数点以下繰り上げ）で算出される。すると、ｎ束目にあるＸ枚目のｑ番目の配置には、下記の論理式で表されるレコード毎の論理ページが割り当てられることになる。ここでの論理ページとは、１レコード目の１ページ目、１レコード目の２ページ目、２レコード目の１ページ目、２レコード目の２ページ目・・・を１から順に割り当てた番号となる。
（ｑ−１）＊Ｔ＋Ｘ−（ｎ−１）＊Ｔ＋Ｎ＊Ｍ＊（ｎ−１）
Ｔ＝Ｍ            （１＜＝ｎ＜Ｏ−１の時）
Ｔ＝Ｐ−Ｍ＊（ｎ−１）      （ｎ＝Ｏの時）
ここでは前記したように、Ｎ＝４、Ｍ＝２０、Ｌ＝２、Ｒ＝２００を想定しているため、Ｐ＝１００、Ｏ＝５となり、図２３に示されるような面付け結果となる。
【００８６】
そしてＳ２２１０で面付けレイアウト表示処理が行われ、Ｓ２１０８で説明したと同様に製本アプリケーション１０４のプレビュー部への表示処理が行われる。
【００８７】
また、第２の実施形態でも、第１の実施形態と同様に、印刷開始指示が行われると、図１６で示したような断裁情報の表示が行われる。
【００８８】
以上、説明してきたように、上述の第１及び第２の実施形態よれば、特定枚数毎（面付け単位毎）に断裁することを想定した前半後半印刷及びマルチレコード印刷（串刺し印刷）の面付けを可能とする。これにより、断裁能力に即した束毎の前半後半印刷、マルチレコード印刷（串刺し印刷）を提供することができ、断裁後のオペレータの手間を軽減し、並べ替えのための作業場所を減らすことができる。
【００８９】
［第３の実施形態］
また、図１８のＳ２１０４で取得する断裁能力（枚数）の情報を、製本アプリケーションが内部に保持している断裁機の情報やＭＩＳ等を含む他のモジュールから取得するようにしても良い。ここで、ＭＩＳとはＭａｎａｇｅｍｅｎｔ  Ｉｎｆｏｒｍａｔｉｏｎ  Ｓｙｓｔｅｍの略語である。
【００９０】
［第４の実施形態］
また、他の実施例によると、断裁能力を想定した束を取り出し易くするために、印刷時に製本アプリケーション１０４内で特定の設定を内部的に行うことが考えられる。
【００９１】
より具体的には、まず上述の各実施例と同様に、断裁能力、設定された面付け方法等に基づく面付け処理がまず行われる。そして、図１６のフローチャートに従えばＳ２３０４で印刷処理が行われる。このＳ２３０４の処理を行う前に束と束の間に合紙の設定を内部的に施す。この時の指定としては合紙には何も印刷しない属性を選択し、予め用意してある色紙等を給紙元として変更する。その後、Ｓ２３０４で印刷処理を実行し、束の区切りに合紙を挿入することが可能となる。ここで、合紙の設定を行ったが、インデックス紙やインサータからの紙の供給、束毎に紙のシフトの設定をすることで同様の効果が得られることは云うまでもない。
【００９２】
［他の実施形態］
以上のように、前述した実施形態の機能を実現するソフトウエアのプログラムコードを記録した記憶媒体を、システムあるいは装置に供給する。そして、そのシステムあるいは装置のコンピュータ（またはＣＰＵやＭＰＵ）が記憶媒体に格納されたプログラムコードを読出し実行することによっても、本発明の目的が達成されることは言うまでもない。
【００９３】
この場合、記憶媒体から読み出されたプログラムコード自体が本発明の新規な機能を実現することになり、そのプログラムコードを記憶した記憶媒体は本発明を構成することになる。
【００９４】
従って、プログラムの機能を有していれば、オブジェクトコード、インタプリタにより実行されるプログラム、ＯＳに供給するスクリプトデータ等、プログラムの形態を問わない。
【００９５】
プログラムを供給するための記憶媒体としては、例えばフレキシブルディスク、ハードディスク、光ディスク、光磁気ディスク、ＭＯ、ＣＤ−ＲＯＭ、ＣＤ−Ｒ、ＣＤ−ＲＷ、磁気テープ、不揮発性のメモリカード、ＲＯＭ、ＤＶＤなどを用いることができる。
【００９６】
この場合、記憶媒体から読出されたプログラムコード自体が前述した実施形態の機能を実現することになり、そのプログラムコードを記憶した記憶媒体は本発明を構成することになる。
【００９７】
その他、プログラムの供給方法としては、クライアントコンピュータのブラウザを用いてインターネットのホームページに接続する。そして、該ホームページから本発明のコンピュータプログラムそのもの、もしくは、圧縮され自動インストール機能を含むファイルをハードディスク等の記録媒体にダウンロードすることによっても供給できる。また、本発明のプログラムを構成するプログラムコードを複数のファイルに分割し、それぞれのファイルを異なるホームページからダウンロードすることによっても実現可能である。つまり、本発明の機能処理をコンピュータで実現するためのプログラムファイルを複数のユーザに対してダウンロードさせるＷＷＷサーバやｆｔｐサーバ等も本発明の請求項に含まれるものである。
【００９８】
また、本発明のプログラムを暗号化してＣＤ−ＲＯＭ等の記憶媒体に格納してユーザに配布し、所定の条件をクリアしたユーザに対し、インターネットを介してホームページから暗号化を解く鍵情報をダウンロードさせる。そして、その鍵情報を使用することにより暗号化されたプログラムを実行してコンピュータにインストールさせて実現することも可能である。
【００９９】
また、コンピュータが読み出したプログラムコードを実行することにより、前述した実施形態の機能が実現されるだけではない。例えばそのプログラムコードの指示に基づき、コンピュータ上で稼働しているＯＳ（オペレーティングシステム）等が実際の処理の一部または全部を行う。そして、その処理によって前述した実施形態の機能が実現される場合も含まれることは言うまでもない。
【０１００】
さらに、記憶媒体から読み出されたプログラムコードが、コンピュータに挿入された機能拡張ボードやコンピュータに接続された機能拡張ユニットに備わるメモリに書き込ませる。その後、そのプログラムコードの指示に基づき、その機能拡張ボードや機能拡張ユニットに備わるＣＰＵ等が実際の処理の一部または全部を行い、その処理によって前述した実施形態の機能が実現される場合も含まれることは言うまでもない。
【０１０１】
本発明は上記実施形態に限定されるものではなく、本発明の趣旨に基づき種々の変形（各実施形態の有機的な組み合せを含む）が可能であり、それらを本発明の範囲から排除するものではない。
【図面の簡単な説明】
【０１０２】
【図１】本実施形態の文書処理システム全体概要を示す図である。
【図２】ホストコンピュータ及びプリンタのハードウェア構成例を示すブロック図である。
【図３】断裁機のハードウェア構成例を示すブロック図である。
【図４】本実施形態の文書処理システムのソフトウェア構成例を示す機能ブロック図である。
【図５】ブックファイルの構造の一例を示す図である。
【図６】ブック属性の一覧を示す図である。
【図７】章属性の一覧を示す図である。
【図８】ページ属性の一覧を示す図である。
【図９】ブックファイルを開く手順例を示すフローチャートである。
【図１０】電子原稿ファイルをブックファイルにインポートする手順例を示すフローチャートである。
【図１１】図８のＳ８０１に示すアプリケーションデータを電子原稿ファイルに変換する手順例を示すフローチャートである。
【図１２】製本アプリケーションのＵＩ画面である。
【図１３】新規にブックファイルが作成された際のＵＩ画面である。
【図１４】印刷設定を行う為のユーザインタフェース例を示す図である。
【図１５】断裁情報表示に係る設定を行う為のユーザインタフェース例を示す図である。
【図１６】断裁情報表示例を示す図である。
【図１７】レイアウト処理が施された印刷結果の一例を示す図である。
【図１８】レイアウト処理が施された印刷結果の一例を示す図である。
【図１９】面付け処理に係る動作を表すフローチャートである。
【図２０】トンボ及びドブの設定様子例を示す図である。
【図２１】断裁情報表示に係る動作を表すフローチャートである。
【図２２】レイアウト処理が施された印刷結果の一例を示す図である。
【図２３】レイアウト処理が施された印刷結果の一例を示す図である。
【図２４】面付け処理に係る動作を表すフローチャートである。
【図１】
0004612894.tif 000002
【図２】
0004612894.tif 000003
【図３】
0004612894.tif 000004
【図４】
0004612894.tif 000005
【図５】
0004612894.tif 000006
【図６】
0004612894.tif 000007
【図７】
0004612894.tif 000008
【図８】
0004612894.tif 000009
【図９】
0004612894.tif 000010
【図１０】
0004612894.tif 000011
【図１１】
0004612894.tif 000012
【図１２】
0004612894.tif 000013
【図１３】
0004612894.tif 000014
【図１４】
0004612894.tif 000015
【図１５】
0004612894.tif 000016
【図１６】
0004612894.tif 000017
【図１７】
0004612894.tif 000018
【図１８】
0004612894.tif 000019
【図１９】
0004612894.tif 000020
【図２０】
0004612894.tif 000021
【図２１】
0004612894.tif 000022
【図２２】
0004612894.tif 000023
【図２３】
0004612894.tif 000024
【図２４】
0004612894.tif 000025